(57)【要約】【課題】雨水等に対して十分な止水性を発揮することが可能な外装材間の止水構造を提供することを目的とする。【解決手段】上下に隣り合う外装材２，２同士は、これら上下の外装材２，２の裏面側に取り付けられた接合部材３，４によって接合され、左右に隣り合う外装材２，２間に縦目地部５が形成されるとともに、この縦目地部５に目地部材６が装着されており、接合部材３，４は、上下の外装材２，２の幅方向に沿って長尺に形成されるとともに、この接合部材３，４の側端面に、縦目地部５に沿って形成された縦溝部７を備えており、目地部材６は、この縦溝部７に係合する係合片６ｂを備えている。これにより、上下に隣り合う外装材間および左右に隣り合う外装材間の止水性を向上させることができ、雨水等に対して十分な止水性を発揮することが可能となる。【選択図】図１
2008163647.tif 000002
【特許請求の範囲】
【請求項１】
外壁表面に上下左右に並設された複数の外装材間の止水構造において、
上下に隣り合う外装材同士は、これら上下の外装材の裏面側に取り付けられた接合部材によって接合され、左右に隣り合う外装材間に縦目地部が形成されるとともに、この縦目地部に目地部材が装着されており、
前記接合部材は、前記上下の外装材の幅方向に沿って長尺に形成されるとともに、この接合部材の側端面に、前記縦目地部に沿って形成された縦溝部を備えており、前記目地部材は、この縦溝部に係合する係合片を備えていることを特徴とする外装材間の止水構造。
【請求項２】
請求項１に記載の外装材間の止水構造において、
前記縦溝部は、前記接合部材の側端面を縦目地部に沿って凹溝状に切り欠くことによって形成されていることを特徴とする外装材間の止水構造。
【請求項３】
請求項１に記載の外装材間の止水構造において、
前記接合部材は、この接合部材の側端面に前記外装材の側端面よりも縦目地部に向かって突出するように設けられ、前記縦目地部に沿って延在する突条部と、この突条部から屋外側に所定間隔離間して配置された突出片とを備えており、これら突条部および突出片間の隙間が、前記縦溝部となっていることを特徴とする外装材間の止水構造。
【請求項４】
請求項１〜３のいずれか一項に記載の外装材間の止水構造において、
前記接合部材は、上方の外装材の下端部裏面および下方の外装材の上端部裏面にそれぞれ取り付けられており、これら上方および下方の接合部材は、これら接合部材同士が水密に係合し合うための係合部をそれぞれ備えていることを特徴とする外装材間の止水構造。
【請求項５】
請求項４に記載の外装材間の止水構造において、
前記上方の外装材の下端部裏面および下方の外装材の上端部裏面のうち、少なくとも一方には、前記上方および下方の接合部材の係合部が嵌まり合う嵌合凹部が形成されていることを特徴とする外装材間の止水構造。
【発明の詳細な説明】
【技術分野】
【０００１】
本発明は、外壁表面に上下左右に並設された複数の外装材間の止水構造に関する。
【背景技術】
【０００２】
近年、住宅の構築についてはその工業化が進み、例えば壁や床、屋根といった構成要素を予め工場にてパネル化しておき、施工現場でこれらのパネルを組み立てることにより住宅を構築するパネル工法が一部に採用されている（例えば、特許文献１参照）。
特許文献１のようなパネル工法では、隣接する外装材の側端部が、下サネと上サネとを係合させるサネ構造をなしているので、専用の取付金具を用いることによって、これら隣接する外装材を、外壁となる壁パネルに対して確実に取り付けできるようになっている。
【特許文献１】特開２００１−０９８７３６号公報
【発明の開示】
【発明が解決しようとする課題】
【０００３】
ところで、近年、上述のような外装材として、例えば軽量気泡コンクリートや、その他のコンクリート成形品等の建築用資材を用いたいという要望があった。このような建築用資材からなる外装材は、例えばポルトランドセメントと、石英及び溶融シリカを含む珪砂と、水とを混練してスラリーを製造し、このスラリーを格子状に組まれた鉄筋が配置された型枠に流し込み、さらに高温、高圧下のオートクレーブ内で蒸気養生させることにより製造されており、断熱性や防水性、防腐性、耐候性、デザイン性等に優れる。
【０００４】
ところが、このような軽量気泡コンクリートや、その他のコンクリート成形品等からなる外装材は砂状のものを固めたものであるため、その側端部に、特許文献１の外装材のようなサネ構造を形成すると、細長く形成した部分や角部などが崩れ易くなってしまい、元の形状を維持できない場合があった。そして、このように外装材の側端部が崩れた場合は、外装材自体を交換しなければならなず手間であった。
【０００５】
そこで、このような手間を省くため、複数の外装材を隣り合うようにして外壁表面に取り付ける際は、例えばフラット面等のような単純化された端部同士を単に突き合わせるなどして、隣り合う外装材同士を並設していた。しかしながら、このように外装材の端部同士を突き合わせるだけでは、雨水等に対して十分な止水性を発揮することができない場合があった。
【０００６】
本発明の課題は、雨水等に対して十分な止水性を発揮することが可能な外装材間の止水構造を提供することを目的とする。
【課題を解決するための手段】
【０００７】
請求項１に記載の発明は、例えば図１〜図４に示すように、外壁１（１０）表面に上下左右に並設された複数の外装材間２，２（２０，２０）の止水構造において、
上下に隣り合う外装材２，２（２０，２０）同士は、これら上下の外装材２，２（２０，２０）の裏面側に取り付けられた接合部材３，４（３０，４０）によって接合され、左右に隣り合う外装材２，２（２０，２０）間に縦目地部５（５０）が形成されるとともに、この縦目地部５（５０）に目地部材６（６０）が装着されており、
前記接合部材３，４（３０，４０）は、前記上下の外装材２，２（２０，２０）の幅方向に沿って長尺に形成されるとともに、この接合部材３，４（３０，４０）の側端面に、前記縦目地部５（５０）に沿って形成された縦溝部７（７０）を備えており、前記目地部材６（６０）は、この縦溝部７（７０）に係合する係合片６ｂ（６０ａ）を備えていることを特徴とする。
【０００８】
請求項１に記載の発明によれば、上下に隣り合う外装材２，２（２０，２０）同士は、これら上下の外装材２，２（２０，２０）の幅方向に沿って長尺な接合部材３，４（３０，４０）を上下の外装材２，２（２０，２０）の裏面側に取り付けることによって接合されていることから、この接合部材３，４（３０，４０）によって上下の外装材２，２（２０，２０）間の隙間を裏面側から幅方向に沿って塞ぐことができるので、上下に隣り合う外装材２，２（２０，２０）間の止水性を向上させることができる。
また、左右に隣り合う外装材２，２（２０，２０）同士は、前記縦目地部５（５０）に、縦溝部７（７０）に係合片６ｂ（６０ａ）を係合させるようして目地部材が装着されているので、この目地部材６（６０）によって左右に隣り合う外装材２，２（２０，２０）間の止水性を向上させることができる。
しかも、前記接合部材３，４（３０，４０）は、前記上下の外装材２，２（２０，２０）の裏面側に取り付けられており、前記目地部材６（６０）を、これら接合部材３，４（３０，４０）に到達する位置まで、前記縦目地部５（５０）の奥行き方向に深く挿入することができるので、この目地部材６（６０）によって縦目地部５（５０）を広範かつ確実に止水することができる。これによって、雨水等に対して十分な止水性を発揮することが可能となる。
【０００９】
請求項２に記載の発明は、例えば図１および図２に示すように、請求項１に記載の外装材２，２間の止水構造において、
前記縦溝部７は、前記接合部材３，４の側端面を縦目地部５に沿って凹溝状に切り欠くことによって形成されていることを特徴とする。
【００１０】
請求項２に記載の発明によれば、前記接合部材３，４の側端面を凹溝状に切り欠くだけで前記縦溝部７を形成することができるので、縦溝部７を容易かつ確実に得ることができる。これによって、この縦溝部７に前記目地部材６の係合片６ｂを確実に係合させることができる。
また、前記接合部材３，４の側端面を切り欠いて縦溝部７を形成することから、従来とは異なり、外装材２，２の側端部にサネ構造を形成する必要が無く、外装材の交換にかかる手間を省くことができるので、従来に比して、前記複数の外装材２，２…を効率良く並設することができる。
【００１１】
請求項３に記載の発明は、例えば図３および図４に示すように、請求項１に記載の外装材２０，２０間の止水構造において、
前記接合部材３０，４０は、この接合部材３０，４０の側端面に前記外装材２０，２０の側端面よりも縦目地部５０に向かって突出するように設けられ、前記縦目地部５０に沿って延在する突条部７０ａと、この突条部７０ａから屋外側に所定間隔離間して配置された突出片７０ｂとを備えており、これら突条部７０ａおよび突出片７０ｂ間の隙間が、前記縦溝部７０となっていることを特徴とする。
【００１２】
請求項３に記載の発明によれば、前記接合部材３０，４０の側端面に、前記縦目地部５０に沿って延在する突条部７０ａと、この突条部７０ａから屋外側に所定間隔離間する突出片７０ｂとを、前記外装材２０，２０の側端面よりも縦目地部５０に向かって突出するようにして設けるだけで、これら突条部７０ａおよび突出片７０ｂ間の隙間に前記縦溝部７０を形成できるので、縦溝部７０を容易かつ確実に得ることができる。これによって、この縦溝部７０に前記目地部材６０の係合片６０ａを確実に係合させることができる。
また、前記接合部材３０，４０の側端面に前記突条部７０ａおよび突出片７０ｂを設けて縦溝部７０を形成することから、従来とは異なり、外装材２０，２０の側端部にサネ構造を形成する必要が無く、外装材の交換にかかる手間を省くことができるので、従来に比して、前記複数の外装材２０，２０…を効率良く並設することができる。
【００１３】
請求項４に記載の発明は、例えば図２および図４に示すように、請求項１〜３のいずれか一項に記載の外装材間２，２（２０，２０）の止水構造において、
前記接合部材３，４（３０，４０）は、上方の外装材２（２０）の下端部裏面および下方の外装材２（２０）の上端部裏面にそれぞれ取り付けられており、これら上方および下方の接合部材３，４（３０，４０）は、これら接合部材３，４（３０，４０）同士が水密に係合し合うための係合部３ｅ，４ｅ（３２，４２）をそれぞれ備えていることを特徴とする。
【００１４】
請求項４に記載の発明によれば、上方の外装材２（２０）の下端部裏面および下方の外装材２（２０）の上端部裏面にそれぞれ取り付けられた上方および下方の接合部材３，４（３０，４０）は、これら接合部材３，４（３０，４０）同士が水密に係合し合うための係合部３ｅ，４ｅ（３２，４２）をそれぞれ備えているので、これら係合部３ｅ，４ｅ（３２，４２）同士を水密に係合させることによって、前記上方および下方の接合部材３，４（３０，４０）同士を確実に係合させることができるだけでなく、これら接合部材３，４（３０，４０）が取り付けられた上下に隣り合う外装材２，２（２０，２０）同士をより確実に接合することができる。しかも、これら係合部３ｅ，４ｅ（３２，４２）同士を水密に係合させることで、継ぎ目部分の止水性・防水性を向上させることが可能となる。
【００１５】
請求項５に記載の発明は、例えば図２および図４に示すように、請求項４に記載の外装材２，２（２０，２０）間の止水構造において、
前記上方の外装材２（２０）の下端部裏面および下方の外装材２（２０）の上端部裏面のうち、少なくとも一方には、前記上方および下方の接合部材３，４（３０，４０）の係合部３ｅ，４ｅ（３２，４２）が嵌まり合う嵌合凹部９（９０）が形成されていることを特徴とする。
【００１６】
請求項５に記載の発明によれば、前記上方の外装材２（２０）の下端部裏面および下方の外装材２（２０）の上端部裏面のうち、少なくとも一方には、前記上方および下方の接合部材３，４（３０，４０）の係合部３ｅ，４ｅ（３２，４２）が嵌まり合う嵌合凹部９（９０）が形成されているので、この嵌合凹部９（９０）に前記係合部３ｅ，４ｅ（３２，４２）を嵌め合わせることによって、前記接合部材３，４（３０，４０）と外装材２，２（２０，２０）との一体化を図ることができる。
【発明の効果】
【００１７】
本発明によれば、上下に隣り合う外装材同士は、これら上下の外装材の幅方向に沿って長尺な接合部材を上下の外装材の裏面側に取り付けることによって接合されていることから、この接合部材によって上下の外装材間の隙間を裏面側から幅方向に沿って塞ぐことができるので、上下に隣り合う外装材間の止水性を向上させることができる。
また、左右に隣り合う外装材同士は、前記縦目地部に、縦溝部に係合片を係合させるようして目地部材が装着されているので、この目地部材によって左右に隣り合う外装材間の止水性を向上させることができる。
しかも、前記接合部材は、前記上下の外装材の裏面側に取り付けられており、前記目地部材を、これら接合部材に到達する位置まで、前記縦目地部の奥行き方向に深く挿入することができるので、この目地部材によって縦目地部を広範かつ確実に止水することができる。これによって、雨水等に対して十分な止水性を発揮することが可能となる。
【発明を実施するための最良の形態】
【００１８】
以下、図面を参照して本発明の実施の形態について説明する。なお、本実施の形態の外装材２が取り付けられる外壁１を備えた建物は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１９】
（第１の実施の形態）
本実施の形態の外装材２，２間の止水構造は、図１および図２に示すように、外壁１表面に上下左右に並設された複数の外装材２，２…間におけるものであり、上下に隣り合う外装材２，２同士は、これら上下の外装材２，２の裏面側に取り付けられた接合部材３，４によって接合され、左右に隣り合う外装材２，２間に縦目地部５が形成されるとともに、この縦目地部５に目地部材６が装着されており、前記接合部材３，４は、前記上下の外装材２，２の幅方向に沿って長尺に形成されるとともに、この接合部材３，４の側端面に、前記縦目地部５に沿って形成された縦溝部７を備えており、前記目地部材６は、この縦溝部７に係合する係合片６ｂを備えている。
また、前記縦溝部７は、前記接合部材３，４の側端面を縦目地部５に沿って凹溝状に切り欠くことによって形成されている。
【００２０】
ここで、本実施の形態の外壁１は壁パネルであり、縦横の框材が矩形状に組み立てられるとともに、矩形枠の内部に補助棧材が縦横に組み付けられて枠体１ａが構成され、図１に示すように、枠体１ａの両面に面材１ｂ，１ｂが貼設されている。
【００２１】
なお、この外壁１表面の所定位置には、図１および図２に示すように、前記接合部材３，４の一部を受けて挟持し、接合部材３，４を外壁１表面の所定位置に配置するための挟持部材８が固定されている。
【００２２】
また、本実施の形態の外装材２は、例えばポルトランドセメントと、石英及び溶融シリカを含む珪砂と、水とを混練してスラリーを製造し、このスラリーを上下方向および左右方向に配筋した鉄筋が配置された型枠に流し込み、さらに高温、高圧下のオートクレーブと呼ばれる耐熱耐圧密閉蒸気窯内で蒸気養生させることにより製造されたコンクリート成形品である。
【００２３】
前記外装材２には、図示はしないが、外装材２の内部全体に補強金網が埋設されており、このような補強金網によって、外装材２自体の強度を向上させることができるようになっている。また、外装材２の上端部近傍および下端部近傍には、図１に示すように、ボルト端部２ａが外装材２の裏面に突出する埋込金具が埋設されている。
【００２４】
一方、前記接合部材３，４は、図２に示すように、上方の外装材２の下端部裏面および下方の外装材２の上端部裏面にそれぞれ取り付けられており、上下に隣り合う外装材２，２同士を接合するためのものであり、これら接合部材３，４を前記上方および下方の外装材２，２に取り付けるための取付部３ａ，４ａと、この取付部３ａ，４ａから外壁１表面まで突出する本体部３ｂ，４ｂと、この本体部３ｂ，４ｂの上方または下方に向かって突出し、前記挟持部材８によって挟持可能な形状に形成された被挟持部３ｃ，４ｃとを備えている。また、前記被挟持部３ｃ，４ｃの近傍には、図２（ａ）に示すように、前記挟持部材８の一部が所在するスペースを確保するための隙間部３ｄ，４ｄが設けられている。
【００２５】
前記取付部３ａ，４ａは、前記外装材２の幅方向に沿って長尺に形成されており、図１に示すように、前記外装材２に埋設された埋込金具のボルト端部２ａが突出している。そして、ボルト端部２ａにはナット２ｂが螺合されており、取付部３ａ，４ａと埋込金具とが連結されている。
【００２６】
また、前記本体部３ｂ，４ｂは、前記接合部材３，４と外壁１の表面との距離を一定に保つ役割を有しており、これによって、前記複数の外装材２，２…の取付状態をより安定的なものとすることができるようになっている。
【００２７】
この他にも、前記上方および下方の接合部材３，４は、これら接合部材３，４同士が水密に係合し合うための係合部３ｅ，４ｅをそれぞれ備えている。これら係合部３ｅ，４ｅは、図２（ａ）に示すように、略凹凸状に形成されているので、互いに嵌合するようになっており、これによって、これら係合部３ｅ，４ｅ同士を水密に係合させることができるようになっている。
【００２８】
すなわち、このように上方および下方の接合部材３，４同士が水密に係合し合うための係合部３ｅ，４ｅをそれぞれ備えているので、これら係合部３ｅ，４ｅ同士を水密に係合させることによって、前記上方および下方の接合部材３，４同士を確実に係合させることができるだけでなく、これら接合部材３，４が取り付けられた上下に隣り合う外装材２，２同士をより確実に接合することができる。しかも、これら係合部３ｅ，４ｅ同士を水密に係合させることで、上下の外装材２，２の継ぎ目部分の止水性・防水性を向上させることが可能となる。
【００２９】
また、前記上方の外装材２の下端部裏面および下方の外装材２の上端部裏面のうち、少なくとも一方には、前記上方および下方の接合部材３，４の係合部３ｅ，４ｅが嵌まり合う嵌合凹部９が形成されている。
このような嵌合凹部９によれば、この嵌合凹部９に前記係合部３ｅ，４ｅを嵌め合わせることによって、前記接合部材３，４と外装材２との一体化を図ることができるようになっている。
【００３０】
なお、前記係合部３ｅ，４ｅのように、例えばフラット面を突き合わせるだけでなく、より形状が複雑化された係合部３ｅ，４ｅを嵌合凹部９に嵌め合わせると、前記上方および下方の外装材２，２同士の継ぎ目部分の周囲を複雑化することができるので、上方および下方の外装材２，２同士の継ぎ目部分から浸入しようとする雨水の浸入経路をより複雑化することができるようになっている。したがって、例えば上方および下方の外装材２，２同士の継ぎ目部分から雨水が染み込むように浸入した際であっても、これら上方および下方の外装材２，２の裏面まで雨水が到達することを防ぐことができる。
【００３１】
また、前記上方および下方の外装材２，２同士の継ぎ目部分に対して、前記係合部３ｅ，４ｅ同士の継ぎ目部分の位置が若干ずれた状態となっている。このように上下の外装材２，２同士の継ぎ目部分と係合部３ｅ，４ｅ同士の継ぎ目部分とをずらして配置することによって、雨水の浸入経路をより複雑化することができるので、より防水性の向上を図ることが可能となる。
【００３２】
次いで、前記目地部材６は、前記縦目地部５の長さ方向に沿って長尺に形成されるとともに、例えばＥＰＤＭ（エチレンプロピレンゴム）等の弾性を有する硬質の材料により形成されており、図１および図２（ｂ）に示すように、縦目地部５内に挿入される本体挿入部６ａと、この本体挿入部６ａの先端部に設けられた前記係合片６ｂと、本体挿入部６ａから左右の外装材２の各側端面に向かって突出した封止片６ｃと、本体挿入部６ａの屋外側端部にスペーサー６ｄを介して取り付けられた化粧目地部６ｅとを有して構成されている。
【００３３】
なお、前記係合片６ｂは、前記本体軸部の先端部に左右方向に突出するようにして設けられており、その突出方向先端部が左右の接合部材３，３（４，４）の縦溝部７に係合するようになっている。
また、前記封止片６ｃは、目地部材６を縦目地部５に装着させたときに弾性変形して、その突出方向先端部が左右の外装材２の各側端面に圧接され、これにより、縦目地部５に係止されるようになっている。
【００３４】
続いて、前記縦溝部７は、上述のように、前記接合部材３，４の側端面を縦目地部５に沿って凹溝状に切り欠くことによって形成されている。
特に、本実施の形態の縦溝部７は、図１および図２（ａ）に示すように、前記接合部材３，４の取付部３ａ，４ａと本体部３ｂ，４ｂとの境目の近傍において本体部３ｂ，４ｂの側端を、縦目地部５に沿って切り欠くことによって形成されている。もしくは、予め側端を切り欠いて縦溝部７を備えた状態の本体部３ｂ，４ｂと前記取付部３ａ，４ａとを接合して接合部材３，４を構成するようにしても良い。
【００３５】
このような本実施の形態の縦溝部７によれば、前記接合部材３，４の側端面を凹溝状に切り欠くだけで縦溝部７を形成することができるので、縦溝部７を容易かつ確実に得ることができる。これによって、この縦溝部７に前記目地部材６の係合片６ｂを確実に係合させることができるようになっている。
また、前記接合部材３，４の側端面を切り欠いて縦溝部７を形成することから、従来とは異なり、外装材２，２の側端部にサネ構造を形成する必要が無く、外装材の交換にかかる手間を省くことができるので、従来に比して、前記複数の外装材２，２…を効率良く並設することができる。
【００３６】
一方、前記挟持部材８は、図１および図２（ａ），（ｃ）に示すように、前記外壁１表面に固定される固定部８ａと、前記上方および下方の接合部材３，４に形成された被挟持部３ｃ，４ｃを受けて挟持する挟持手段とからなる。
【００３７】
前記固定部８ａは、図２（ａ），（ｃ）に示すように、長寸部８ａ１と短寸部８ａ２からなり、断面略Ｌ字状に形成されており、長寸部８ａ１は前記外壁１表面に当接しているとともに、短寸部８ａ２は、その先端が前記挟持手段を構成する挟持板部８ｃと一体化されている。
そして、この短寸部８ａ２は、前記長寸部８ａ１と挟持板部８ｃとの間に介在することによって、接合部材３，４と外壁１表面との距離を一定に保つ役割を有しており、これによって、図１に示すように、外装材２と外壁１表面との間に通気層８ｂを形成することが可能となる。
【００３８】
また、前記挟持手段は、対向する挟持板部８ｃ，８ｃと、これら挟持板部８ｃ，８ｃを互いに接近する方向に締め付ける締付部材８ｄと、前記対向する挟持板部８ｃ，８ｃ間に設けられ、前記上方および下方の被挟持部３ｃ，４ｃをそれぞれ受ける受け部８ｅ，８ｅとを備えている。
【００３９】
前記対向する挟持板部８ｃ，８ｃは、一方が、前記固定部８ａの短寸部８ａ２と一体化されており、他方が、前記被挟持部３ｃ，４ｃの近傍に設けられた隙間部３ｄ，４ｄに所在するようになっている。
そして、前記締付部材８ｄは、ボルトおよびナットであり、前記対向する挟持板部８ｃ，８ｃの中央部分に形成された挿通孔（図示せず）に挿通されている。すなわち、前記ナットを締めていくことによって、前記対向する挟持板部８ｃ，８ｃが、互いに接近する方向に締め付けられていくようになっている。
【００４０】
また、前記受け部８ｅ，８ｅは、前記被挟持部３ｃ，４ｃを受けるためのものであり、この受け部８ｅ，８ｅの内周寸法は被挟持部３ｃ，４ｃの外周寸法に併せて形成されている。
そして、前記受け部８ｅ，８ｅによって上方および下方の被挟持部３ｃ，４ｃをそれぞれ受けた状態で、前記締付部材８ｄによって対向する挟持板部８ｃ，８ｃを互いに接近する方向に締め付けるようにすることで、前記上方および下方の被挟持部３ｃ，４ｃを前記挟持部材８によって強固に挟持することができるようになっている。
【００４１】
次に、複数の外装材２，２…同士を並設する際の手順について説明する。
【００４２】
まず、複数の外装材２，２…の上端部裏面および下端部裏面に取り付けられる接合部材３，４の側端面を凹溝状に切り欠いて、予め縦溝部７を形成しておく。
そして、前記外壁１表面に下方の外装材２を、左右に隣り合うように並設して取り付けておく。この際、下方の外装材２の上端部裏面には接合部材４が取り付けられており、この接合部材４の被挟持部４ｃを、外壁１表面に固定された挟持部材８によって受けた状態としておく。
なお、下方の外装材２を左右に隣り合うようにして並設する際は、これら左右に隣り合う外装材２，２間に、目地部材６の装着を可能とする所定寸法の隙間を開けて縦目地部５を形成するようにする。
【００４３】
続いて、図２（ａ）に示すように、下方の外装材２と上方の外装材２とを接合する。この際、下方の外装材２の前記外壁１表面に固定された挟持部材８の受け部８ｅで、上方の外装材２の下端部裏面に取り付けられた接合部材３の被挟持部３ｃを受けるようにする。
なお、上方の外装材２を左右に隣り合うようにして並設する際においても、これら左右に隣り合う外装材２，２間に、目地部材６の装着を可能とする所定寸法の隙間を開けて縦目地部５を形成する。
そして、前記挟持部材８によって、下方の外装材２および上方の外装材２に取り付けられた接合部材３，４の被挟持部３ｃ，４ｃを挟持して、下方の外装材２と上方の外装材２とを強固に接合する。
【００４４】
その後、図２（ｂ），（ｃ）に示すように、左右に隣り合う外装材２，２間に形成された縦目地部５に目地部材６を装着させる。この目地部材６を縦目地部５に装着させる際は、図１に示すように、目地部材６の係合片６ｂを、前記接合部材３，４の側端面に形成された縦溝部７に係合させるようにして装着させる。
【００４５】
以上のようにして複数の外装材２，２…を、外壁１表面に上下左右に並設することができる。以降、上下方向および左右方向に複数の外装材２，２…を並設する際は、このような作業を繰り返し行うようにする。
【００４６】
本実施の形態によれば、上下に隣り合う外装材２，２同士は、これら上下の外装材２，２の幅方向に沿って長尺な接合部材３，４を上下の外装材２，２の裏面側に取り付けることによって接合されていることから、この接合部材３，４によって上下の外装材２，２間の隙間を裏面側から幅方向に沿って塞ぐことができるので、上下に隣り合う外装材２，２間の止水性を向上させることができる。
また、左右に隣り合う外装材２，２同士は、前記縦目地部５に、縦溝部７に係合片６ｂを係合させるようして目地部材が装着されているので、この目地部材６によって左右に隣り合う外装材２，２間の止水性を向上させることができる。
しかも、前記接合部材３，４は、前記上下の外装材２，２の裏面側に取り付けられており、前記目地部材６を、これら接合部材３，４に到達する位置まで、前記縦目地部５の奥行き方向に深く挿入することができるので、この目地部材６によって縦目地部５を広範かつ確実に止水することができる。これによって、雨水等に対して十分な止水性を発揮することが可能となる。
【００４７】
（第２の実施の形態）
次に、図面を参照して本発明の第２の実施の形態について説明する。なお、説明の便宜上、上述した第１の実施の形態とは異なる構成部分のみについて説明する。
【００４８】
本実施の形態の外装材２０，２０間の止水構造は、外壁１０表面に上下左右に並設された複数の外装材２０，２０…間におけるものであり、図３および図４に示すように、上下に隣り合う外装材２０，２０同士を接合するための接合部材３０，４０は、この接合部材３０，４０の側端面に前記外装材２０，２０の側端面よりも縦目地部５０に向かって突出するように設けられ、前記縦目地部５０に沿って延在する突条部７０ａと、この突条部７０ａから屋外側に所定間隔離間して配置された突出片７０ｂとを備えており、これら突条部７０ａおよび突出片７０ｂ間の隙間が、目地部材６０の係合片６０ａを係合させるための縦溝部７０となっている。
なお、前記接合部材３０，４０は、前記外壁１０表面に固定され、上方および下方の接合部材３０，４０の一部を受けて挟持するための挟持部材８０によって、前記外壁１０表面の所定位置に配置されている。
【００４９】
前記接合部材３０，４０は、この接合部材３０，４０の取付部３１，４１の側端面の屋外側が切り欠かれた状態となるとともに、この切り欠いた部分の側端面と、外装材２０の側端面とが面一となるように設定されており、取付部３１，４１の側端面の屋内側の切り欠かかれた状態になっていない部分を、前記突条部７０ａとしている。
なお、前記突条部７０ａは、接合部材３０，４０の取付部３１，４１の側端面の屋内側に、この取付部３１，４１の側端面よりも縦目地部５０に向かって突出するとともに縦目地部５０に沿って延在する形状の長尺部材を取り付けることによって設けられるものでも良い。
【００５０】
また、このような突条部７０ａから屋外側に所定間隔離間した位置に、前記突出片７０ｂが設けられている。この突出片７０ｂは、図４（ａ）に示すように、前記接合部材３０，４０の係合部３２，４２に設けられた状態となっている。
なお、前記突出片７０ｂは、前記接合部材３０，４０の係合部３２，４２に強固に取り付けて設けるようにしても良く、係合部３２，４２の側端部を縦目地部５０側に突出するように形成して設けるようにしても良い。なお、これら係合部３２，４２は、上方の外装材２０の下端部裏面および下方の外装材２０の上端部裏面にのうちの一方に形成された嵌合凹部９０に嵌まり合っている。
【００５１】
そして、図４（ｂ），（ｃ）に示すように、左右に隣り合う外装材２０，２０間に形成された縦目地部５０に目地部材６０を装着させるものとする。
すなわち、この目地部材６０を縦目地部５０に装着させる際は、図３に示すように、目地部材６０の係合片６０ａを、前記接合部材３０，４０の側端面に形成された縦溝部７０に係合させるようにして装着させる。
【００５２】
本実施の形態によれば、第１の実施の形態と同じ効果を得ることができるとともに、前記接合部材３０，４０の側端面に、前記縦目地部５０に沿って延在する突条部７０ａと、この突条部７０ａから屋外側に所定間隔離間する突出片７０ｂとを、前記外装材２０，２０の側端面よりも縦目地部５０に向かって突出するようにして設けるだけで、これら突条部７０ａおよび突出片７０ｂ間の隙間に前記縦溝部７０を形成できるので、縦溝部７０を容易かつ確実に得ることができる。これによって、この縦溝部７０に前記目地部材６０の係合片６０ａを確実に係合させることができる。
また、前記接合部材３０，４０の側端面に前記突条部７０ａおよび突出片７０ｂを設けて縦溝部７０を形成することから、従来とは異なり、外装材２０，２０の側端部にサネ構造を形成する必要が無く、外装材の交換にかかる手間を省くことができるので、従来に比して、前記複数の外装材２０，２０…を効率良く並設することができる。
【図面の簡単な説明】
【００５３】
【図１】本発明の外装材間の止水構造の一例を示す平断面図である。
【図２】図１に示す外装材間の止水構造の概略を示す斜視図であり、（ａ）は目地部材装着前、（ｂ）は目地部材、（ｃ）は目地部材装着後を示している。
【図３】本発明の外装材間の止水構造の一例を示す平断面図である。
【図４】図３に示す外装材間の止水構造の概略を示す斜視図であり、（ａ）は目地部材装着前、（ｂ）は目地部材、（ｃ）は目地部材装着後を示している。
【符号の説明】
【００５４】
１  外壁
２  外装材
３  接合部材
４  接合部材
５  縦目地部
６  目地部材
６ｂ  係合片
７  縦溝部
１０  外壁
２０  外装材
３０  接合部材
４０  接合部材
５０  縦目地部
６０  目地部材
６０ａ  係合片
７０  縦溝部
【図１】
2008163647.tif 000003
【図２】
2008163647.tif 000004
【図３】
2008163647.tif 000005
【図４】
2008163647.tif 000006